(57)【要約】【課題】本発明が解決しようとする課題は、刃物を用いることなく、小型でどこにでも設置可能な棒金開封装置を提供することである。【解決手段】実施形態の棒金開封装置は、硬貨を複数枚重ねて包装した棒金を載置する載置部を有し、第１位置と第２位置との間で前記棒金の軸心方向に移動可能な載置台と、前記第２位置において、前記載置台に載置されている棒金が前記載置台から浮くことを押さえる押さえ部と、前記載置台に対して出没可能な出没部を備え、前記出没部は、前記載置台が前記第１位置の位置では前記載置台に対して退避位置に退避し、前記載置台が前記第２位置の位置では前記載置台に対して突出位置に突出して、前記載置台に載置され前記押さえ部によって押さえられた棒金の略中央周縁部を屈曲させて前記棒金を開封する棒金開封部と、を備える。【選択図】図４
2020061068.tif 000002
【特許請求の範囲】
【請求項１】
硬貨を複数枚重ねて包装した棒金を載置する載置部を有し、第１位置と第２位置との間で前記棒金の軸心方向に移動可能な載置台と、
前記第２位置において、前記載置台に載置されている棒金が前記載置台から浮くことを押さえる押さえ部と、
前記載置台に対して出没可能な出没部を備え、前記出没部は、前記載置台が前記第１位置の位置では前記載置台に対して退避位置に退避し、前記載置台が前記第２位置の位置では前記載置台に対して突出位置に突出して、前記載置台に載置され前記押さえ部によって押さえられた棒金の略中央周縁部を屈曲させて前記棒金を開封する棒金開封部と、
を備えた棒金開封装置。
【請求項２】
前記押さえ部は、前記載置台が前記第２位置に位置する状態で前記載置台に載置された前記棒金の前記出没部による押圧部と反対側の両端部を、前記出没部が棒金を屈曲させる位置とは反対側に位置し、
前記棒金開封部は、前記出没部が前記押さえ部によって押さえられた前記棒金の前記略中央周縁部を押圧することで前記棒金を屈曲させて開封する、
請求項１に記載の棒金開封装置。
【請求項３】
前記棒金開封部は、前記出没部が前記退避位置と前記突出位置とに移動可能に回動する、
請求項１または２に記載の棒金開封装置。
【請求項４】
前記棒金開封部は、前記載置台が前記第１位置から前記第２位置に移動途中に前記棒金開封部に当接する当接部、をさらに備え、
前記当接部が前記載置台と当接した後に前記載置台が前記第２位置に移動することで前記棒金開封部が回動し、前記出没部は前記突出位置に突出する、
請求項３に記載の棒金開封装置。
【請求項５】
前記載置部に、前記出没部が前記突出位置に突出することが可能な孔部を設けた、
請求項１乃至４のいずれか一に記載の棒金開封装置。
【発明の詳細な説明】
【技術分野】
【０００１】
本発明の実施形態は、棒金開封装置に関する。
【背景技術】
【０００２】
従来から、同一金種の硬貨を複数枚重ねて紙やフィルム（以降代表して「フィルム」という）で包装した円柱状の棒金が存在する。棒金は、ＰＯＳ端末や硬貨釣銭機の近傍に保管されていることが多く、硬貨を収納するドロワや硬貨釣銭機において硬貨が不足した場合に、当該硬貨の棒金のフィルムを開封して補充する。
【０００３】
ところで、棒金のフィルムを開封する装置は従来から提案されているが、従来の棒金開封装置は、刃物を棒金の周縁中央部に押し当ててフィルムを切断するものや、棒金のフィルムの巻終りを剥がすものであり、装置が大掛かりになる。
【発明の概要】
【発明が解決しようとする課題】
【０００４】
本発明が解決しようとする課題は、刃物を用いることなく、小型でどこにでも設置可能な棒金開封装置を提供することである。
【課題を解決するための手段】
【０００５】
実施形態の棒金開封装置は、硬貨を複数枚重ねて包装した棒金を載置する載置部を有し、第１位置と第２位置との間で前記棒金の軸心方向に移動可能な載置台と、前記第２位置において、前記載置台に載置されている棒金が前記載置台から浮くことを押さえる押さえ部と、前記載置台に対して出没可能な出没部を備え、前記出没部は、前記載置台が前記第１位置の位置では前記載置台に対して退避位置に退避し、前記載置台が前記第２位置の位置では前記載置台に対して突出位置に突出して、前記載置台に載置され前記押さえ部によって押さえられた棒金の略中央周縁部を屈曲させて前記棒金を開封する棒金開封部と、を備える。
【図面の簡単な説明】
【０００６】
【図１】図１は、実施形態に係る棒金開封装置を示す斜視図である。
【図２】図２は、棒金開封装置の載置台を示す斜視図である。
【図３】図３は、載置台が筐体から引き出された状態を示す側断面図である。
【図４】図４は、載置台が筐体に収納された状態を示す側断面図である。
【図５】図５は、棒金と出没部との位置関係を示す説明図である。
【発明を実施するための形態】
【０００７】
以下に添付図面を参照して、本実施形態に係る棒金開封装置の一実施形態を詳細に説明する。なお、この実施形態によって発明は限定されるものではない。
【０００８】
図１は、実施形態に係る棒金開封装置を示す斜視図である。棒金開封装置１は、筐体２を備える。筐体２は、略直方体状の壁を有し、中空である。筐体２は、一面に長方形状または正方形状の開口部２５を備える。
【０００９】
また、棒金開封装置１は、載置台３を備える。載置台３は筐体２の開口部２５に対して出し入れ可能に設けられる。載置台３が筐体２から引き出された位置（図３の位置）が第１位置ある。載置台３が筐体２に完全に収納された位置（図４の位置）が第２位置である。図１は、載置台３が筐体２に収納された第２位置の状態である。
【００１０】
次に載置台３について説明する。図２は、載置台３を示す斜視図である。図２に示すように、載置台３は、直方体状であり、内部に、棒金を載置する棒金載置部３１を備える。棒金載置部３１は、上方が開放され、中央部が下方に窪んだ略Ｖ字状のＶ字状形状部３１１を有する。棒金載置部３１は、Ｖ字状形状部３１１に棒金を載置可能である。棒金載置部３１は、Ｖ字状形状部３１１を有するため、１円硬貨の棒金から５００円硬貨の棒金まで、すべての金種の棒金を載置することができる。
【００１１】
ここで、棒金は、複数枚の同一金種の硬貨を重ねて、フィルムで円柱状に包装したものであり、金種によって棒金の軸心方向の長さが異なる。そのため、載置台３は、移動壁３５を備える。移動壁３５は、載置台３の長手方向（図２のＹ１方向）に移動（スライド）可能である。そして移動壁３５は、例えばコイル状のスプリング３３の一端が取り付けられている。スプリング３３の他端は、載置台３の後端部３４に取り付けられている。そして、移動壁３５は、スプリング３３によって棒金載置部３１側に付勢されている。そのため、棒金載置部３１に載置された棒金は、移動壁３５の付勢力によって基準面３６（図３を参照）側に押し付けられて、所定位置に位置決めされる。なお、棒金は、必ずしも複数枚の同一金種の硬貨を重ねて、フィルムで円柱状に包装したものである必要はなく、複数枚の異種金種が混在した硬貨をフィルムで包装されているものであってもよい。
【００１２】
また、棒金載置部３１は、Ｖ字状形状部３１１の底部の略中央部に、孔部３２を有する。孔部３２は、Ｖ字状形状部３１１から下方に貫通する孔である。孔部３２は、略長方形状の孔である。孔部３２は、載置台３の長手方向に長方形の長手方向を有する。
【００１３】
続いて、載置台３に載置された棒金のフィルムを破断する機構について説明する。図３は、載置台３が筐体２から引き出された状態（すなわち、載置台３が第１位置に位置する状態）を示す側断面図である。図４は、載置台３が筐体２に収納された状態（すなわち、載置台３が第２位置に位置する状態）を示す側断面図である。
【００１４】
図３および図４に示すように、筐体２には、押さえ部２４が取り付けられている。押さえ部２４は、筐体２内部の２か所に固定的に設けられる。押さえ部２４は、第２位置に位置する載置台３に載置された棒金Ｃの両端部に対向する位置に位置し、棒金Ｃを上方から押さえ、載置台３から棒金Ｃが浮くことを押さえる。押さえ部２４は、棒金Ｃの両端部において、後述する出没部２２２が棒金Ｃを下方から持ち上げるのを上方から押さえ、棒金の上方への持ち上がりを妨げる。
【００１５】
また、筐体２は、筐体２に設けられた固定部２１に、棒金開封部２２が取り付けられている。棒金開封部２２は、第２位置に位置する載置台３に載置された棒金Ｃの周縁部に対して下方から力を加えて、棒金Ｃを上方に屈曲させる機構である。棒金開封部２２は、固定部２１に設けられた支軸２１１を中心に、矢印Ｙ２方向および矢印Ｙ３方向に回動可能に設けられている。また、棒金開封部２２は、固定部２１付近から載置台３の長手方向の前方に延びるアーム部２２１を有する。
【００１６】
棒金開封部２２は、アーム部２２１の先端部に出没部２２２を備える。出没部２２２は載置台３の下方に位置する。出没部２２２は、アーム部２２１から載置台３に（すなわち上方に）向けて略直角に延出した形状である。棒金開封部２２は、例えば樹脂や金属で形成されている。
【００１７】
また、棒金開封部２２は、固定部２１付近から載置台３の長手方向の後方において、上方に延びる接続部２２３を有する。接続部２２３は、載置台３の後方に位置する。接続部２２３には、例えばコイル状のスプリング２３を有する。スプリング２３は、接続部２２３と筐体２の後端面との間に設けられており、接続部２２３を矢印Ｙ６方向（すなわち、載置台３が筐体２から引き出される方向）に付勢する。
【００１８】
また、棒金開封部２２は、接続部２２３の端部に、当接部２２４を有する。当接部２２４は、載置台３の後方に位置し、接続部２２３の端部から載置台３の後方（矢印Ｙ６方向）に向けて略直角に延出した形状である。
【００１９】
棒金開封部２２は、固定部２１に回動可能に支持されているため、スプリング２３からの付勢力によって、棒金開封部２２は、支軸２１１を中心に矢印Ｙ３方向に回動する。すると、出没部２２２は、下方に下がり、待機位置に位置する。待機位置とは、出没部２２２が載置台３より下方であって、載置台３を筐体２に対して出し入れしても載置台３に接触しない位置である。
【００２０】
図３は、載置台３が第１位置に位置している状態を示す。図３の状態において、載置台３の棒金載置部３１に上方から棒金Ｃを載置することが可能である。図３は、棒金載置部３１に棒金Ｃが載置された状態を示す。この状態で、移動壁３５はスプリング３３によって左側（矢印Ｙ５方向）に付勢されているため、棒金Ｃは、移動壁３５によって載置台３の基準面３６側に押し付けられている。そのため、棒金Ｃは、載置台３の決められた所定位置に載置される。
【００２１】
載置台３は、筐体２に対して、筐体２に収納する方向（矢印４の方向）、および筐体２から引き出される方向（矢印５の方向）に移動可能である。図３の状態では、載置台３は、筐体２に収納する方向（矢印４の方向）に移動可能である。図４の状態では、載置台３は、筐体２から引き出される方向（矢印５の方向）に移動可能である。
【００２２】
図３の状態から載置台３を筐体２に収納する方向に移動させると、後端部３４が当接部２２４に当接する。この状態からさらに載置台３を筐体２に収納する方向に移動させると、当接部２２４が後端部３４によって押されることで、棒金開封部２２は、スプリング２３の付勢力に抗して、支軸２１１を中心に矢印Ｙ２方向に回動する。棒金開封部２２が矢印Ｙ２方向に回動すると、出没部２２２は、退避位置から上方に移動する。
【００２３】
さらに載置台３を筐体２に収納する方向に移動させ、後端部３４によって当接部２２４さらに押されると、出没部２２２は、さらに上方に移動し、載置台３が図４に示す第２位置に位置すると、出没部２２２は、孔部３２を突き抜けて載置台３の内部に突出して突出位置まで達する。突出位置とは、出没部２２２は、孔部３２を突き抜けて載置台３の内部に突出して、棒金Ｃの中央部Ｃ１を上方に押し上げる位置である。
【００２４】
図４は、載置台３が第２位置に位置した状態を示す。載置台３が第２位置に位置している状態では、載置台３は筐体２に完全に収納された状態となる。この状態では、載置台３から棒金Ｃを取り出すことはできない。また、この状態で、棒金Ｃの両端部は、押さえ部２４と当接している。
【００２５】
載置台３が第２位置に位置して、出没部２２２が突出位置まで達すると、出没部２２２は、棒金Ｃの中央部Ｃ１を下から上方に押し上げる。棒金Ｃは、両端部が押さえ部２４によって上から下方に押さえられている。そのため、棒金Ｃの両端部は上方に持ち上がることはない。一方、棒金Ｃは、出没部２２２が突出位置に位置していることから、棒金Ｃの中央部Ｃ１が上方に押し上げられる。すると棒金Ｃは、中央部Ｃ１において上方に屈曲する。棒金Ｃの中央部が屈曲すると、棒金Ｃの上側のフィルムが破壊されて開封される。
【００２６】
次に載置台３を筐体２から第１位置まで引き出すと、スプリング２３の付勢力によって棒金開封部２２が矢印Ｙ３方向に回動して、出没部２２２が退避位置まで移動するため、棒金Ｃを取り扱う人は、棒金Ｃを上方に取り出すことができる。この棒金Ｃは、フィルムが開封されているため、棒金Ｃから硬貨を容易に取り出して、ドロワや硬貨釣銭機に補充することができる。
【００２７】
次に、出没部２２２の形状について説明する。図５は、棒金Ｃと出没部２２２との位置関係を示す説明図である。図５に示すように、出没部２２２は、先端部２２２１を有する。先端部２２２１は、マイナスドライバの先端部のように、細長状の長方形状の突起である。先端部２２２１の先端は平面状である（刃物のように鋭利に尖ってはいない）。そして、先端部２２２１は、棒金Ｃの軸心方向（すなわち、載置台３の移動方向）と直交する方向に長方形の長手方向を有する。
【００２８】
出没部２２２は、突出位置に位置する状態で、２か所に取り付けられた押さえ部２４より内側であって、棒金Ｃの中央部Ｃ１を押し上げる。すると、先端部２２２１は、長手方向を棒金Ｃの軸心方向と直交する方向にして棒金Ｃの中央部Ｃ１に当たる。そのため、棒金Ｃは上方に屈曲し易い。
【００２９】
このような実施形態の棒金開封装置によれば、棒金Ｃを載置した載置台３を筐体２に収納するだけで、棒金Ｃのフィルムを容易に開封することができるため、小型でどこにでも設置可能な棒金開封装置を提供するころができる。また、このような実施形態の棒金開封装置によれば、刃物でフィルムを開封しないため、棒金開封装置を安全な構造とすることができる。
【００３０】
なお、実施形態の棒金開封装置は、ドロワや硬貨釣銭機の近傍に設置することができる。また、実施形態の棒金開封装置は、例えばＰＯＳ（Point  of  Sales）端末が設置されたサッカー台に設置することも可能である。また、実施形態の棒金開封装置は、ＰＯＳ端末の筐体に組み込むことも可能である。ＰＯＳ端末の筐体に組み込んだ場合、実施形態で説明した筐体２は不要となる。
【００３１】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【００３２】
例えば、実施形態では、押さえ部２４を２か所に設けたが、これに限らず、２か所以上であればよい。
【００３３】
また、実施形態では、載置台３が第２位置に位置する状態で、押さえ部２４が棒金Ｃに接触するようにした。しかしながら、これに限らず、載置台３が第２位置に位置する状態で、出没部２２２が退避位置から突出位置に移動途中において、棒金を押さえ部２４が棒金Ｃに接触するようにしてもよい。
【００３４】
また、実施形態では、出没部２２２は下方から上方に移動して、棒金Ｃを持ち上げるように屈曲させた。しかしながら、これに限らず、出没部２２２は、棒金Ｃに対して上方から下方に移動して、棒金Ｃを下方に押し下げるように屈曲させてもよい。また、出没部２２２は、棒金Ｃに対して左右から突出して、棒金Ｃを左右方向に屈曲させてもよい。
【００３５】
また、実施形態では、載置台３の底部に孔部３２を設け、出没部２２２は、突出位置において、孔部３２を通過して載置台３の内部に突出するようにした。しかしながら、これに限らず、載置台３を例えばシリコンのような変形可能な物質で形成した場合、出没部２２２が突出位置に突出した場合に載置台３が上方に変形することで、棒金Ｃを屈曲させるようにしてもよい。すなわち、孔部３２は必須の要件ではない。
【００３６】
また、実施形態では、載置台３が第２位置に位置している状態で、押さえ部２４は、上方から棒金Ｃを押さえた。しかしながら、これに限らず、例えば、棒金Ｃを載置台３に圧入するようにして、棒金Ｃの両端部を浮き上がらないように押さえてもよい。この場合、押さえ部２４は不要である。
【００３７】
また、実施形態では、出没部２２２に形成された先端部２２２１の長手方向の形状を、マイナスドライバの先端部のように、細長状の長方形状とした。しかしながらこれに限らず、先端部２２２１は例えば、半球状やプラスドライバの先端部のような形状であってもよい。
【００３８】
また、実施形態では、スプリング２３とスプリング３３を、コイルスプリングとして説明した。しかしながらこれに限らず、スプリング２３は、棒金開封部２２を矢印Ｙ３方向に回動させるように付勢するスプリングであればよい。また、スプリング３３は、移動壁３５を矢印Ｙ５方向に付勢するスプリングであればよい。
【符号の説明】
【００３９】
１      棒金開封装置
２      筐体
３      載置台
Ｃ１    中央部
２１    固定部
２２    棒金開封部
２３    スプリング
２４    部
２５    開口部
３１    棒金載置台
３２    孔部
３３    スプリング
３４    後端部
３５    移動壁
３６    基準面
２１１  支軸
２２１  アーム部
２２２  出没部
２２３  接続部
２２４  当接部
３１１  Ｖ字状形状部
２２２１  先端部
Ｃ      棒金
【先行技術文献】
【特許文献】
【００４０】
【特許文献１】特開昭６０−１５４２１１号公報
【図１】
2020061068.tif 000003
【図２】
2020061068.tif 000004
【図３】
2020061068.tif 000005
【図４】
2020061068.tif 000006
【図５】
2020061068.tif 000007